(57)【要約】【課題】ラジオ放送を視聴していない場合であっても、ラジオ放送で演奏されている楽曲の情報をユーザに知らしめる技術を提供する。【解決手段】オーディオ処理部１５は、非ラジオ放送の音声信号を再生する。ラジオ受信部１１ａは、オーディオ処理部１５が非ラジオ放送の音声信号を再生している間に、ラジオ放送の信号を受信する。表示部１７は、受信したラジオ放送の信号に含まれた楽曲識別情報であって、かつラジオ放送の信号に含まれた音声信号に対応した楽曲を識別するための楽曲識別情報を表示する。制御部１４、オーディオ処理部１５は、非ラジオ放送の音声信号の再生から、ラジオ放送の音声信号の再生への切替の指示を受けつけた場合に、表示した楽曲識別情報に対応した音声信号であって、かつ受信したラジオ放送の信号に含まれた音声信号を再生する。【選択図】図１
2014175831.tif 000002
【特許請求の範囲】
【請求項１】
非ラジオ放送の音声信号を再生する再生部と、
前記再生部が非ラジオ放送の音声信号を再生している間に、ラジオ放送の信号を受信するラジオ受信部と、
前記ラジオ受信部において受信したラジオ放送の信号に含まれた楽曲識別情報であって、かつラジオ放送の信号に含まれた音声信号に対応した楽曲を識別するための楽曲識別情報を表示する表示部とを備え、
前記再生部は、非ラジオ放送の音声信号の再生から、ラジオ放送の音声信号の再生への切替の指示を受けつけた場合に、前記表示部において表示した楽曲識別情報に対応した音声信号であって、かつ前記ラジオ受信部において受信したラジオ放送の信号に含まれた音声信号を再生することを特徴とするオーディオ装置。
【請求項２】
前記ラジオ受信部において受信したラジオ放送の信号に新たな楽曲識別情報が含まれている場合に、前記再生部が非ラジオ放送の音声信号を再生していれば、新たな楽曲識別情報と、当該新たな楽曲識別情報に対応した音声信号を記憶するメモリをさらに備えることを特徴とする請求項１に記載のオーディオ装置。
【請求項３】
前記再生部は、前記ラジオ受信部が受信したラジオ放送の信号の強度がしきい値より大きい場合、前記ラジオ受信部において受信したラジオ放送の信号に含まれた音声信号の再生として、前記メモリに記憶した音声信号を再生し、信号の強度がしきい値以下である場合、前記メモリに記憶した音声信号の再生を禁止することを特徴とする請求項２に記載のオーディオ装置。
【請求項４】
前記表示部は、前記ラジオ受信部において受信したラジオ放送の信号に含まれた楽曲識別情報として、前記メモリに記憶した新たな楽曲識別情報を表示することを特徴とする請求項２に記載のオーディオ装置。
【発明の詳細な説明】
【技術分野】
【０００１】
本発明は、再生技術に関し、特に音声信号を再生するオーディオ装置に関する。
【背景技術】
【０００２】
従来のオーディオ装置は、デジタルラジオ放送を受信している際、デジタルラジオ放送信号に含まれる楽曲識別情報を、オーディオ装置に備え付けられているディスプレイに表示させる。これによって、ユーザは放送中または過去に放送した楽曲の曲名やアーティスト名、アルバム名などを知ることが可能となる（例えば、特許文献１、２参照）。
【先行技術文献】
【特許文献】
【０００３】
【特許文献１】特開２００２−１９８８４１号公報
【特許文献２】特開２００９−０５５４８７号公報
【発明の概要】
【発明が解決しようとする課題】
【０００４】
従来のオーディオ装置は、デジタルラジオ放送を視聴している場合、またはボタンを押下するなどのユーザ操作が発生した場合にのみ楽曲識別情報をディスプレイに表示することが可能である。そのため、例えば他の音楽ソースを視聴している場合、あるいはどの音楽ソースも視聴していない場合においては、ユーザはデジタルラジオ放送にて再生されている楽曲の情報を知ることはできなかった。
【０００５】
本発明はこうした状況に鑑みてなされたものであり、その目的は、ラジオ放送を視聴していない場合であっても、ラジオ放送で演奏されている楽曲の情報をユーザに知らしめる技術を提供することにある。
【課題を解決するための手段】
【０００６】
上記課題を解決するために、本発明のある態様のオーディオ装置は、非ラジオ放送の音声信号を再生する再生部と、再生部が非ラジオ放送の音声信号を再生している間に、ラジオ放送の信号を受信するラジオ受信部と、ラジオ受信部において受信したラジオ放送の信号に含まれた楽曲識別情報であって、かつラジオ放送の信号に含まれた音声信号に対応した楽曲を識別するための楽曲識別情報を表示する表示部とを備える。再生部は、非ラジオ放送の音声信号の再生から、ラジオ放送の音声信号の再生への切替の指示を受けつけた場合に、表示部において表示した楽曲識別情報に対応した音声信号であって、かつラジオ受信部において受信したラジオ放送の信号に含まれた音声信号を再生する。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、ラジオ放送を視聴していない場合であっても、ラジオ放送で演奏されている楽曲の情報をユーザに知らしめることができる。
【図面の簡単な説明】
【０００９】
【図１】本発明の実施例に係るオーディオ装置の構成を示す図である。
【図２】図１の内部メモリに保存される一時記憶領域のデータ構造を示す図である。
【図３】図１の内部メモリに保存される音声データバッファ用領域のデータ構造を示す図である。
【図４】図１のオーディオ装置による新規楽曲を受信した場合の処理手順を示すフローチャートである。
【図５】図１のオーディオ装置による楽曲識別情報が選択された場合の処理手順を示すフローチャートである。
【図６】図１のオーディオ装置による一時記憶領域の作成手順を示すフローチャートである。
【図７】図１のオーディオ装置による音声データバッファ用領域の作成手順を示すフローチャートである。
【発明を実施するための形態】
【００１０】
本発明の実施例を具体的に説明する前に、実施例の概要を説明する。本実施例は、デジタルラジオ放送以外の音楽ソースを視聴していてもバックグラウンドで楽曲識別情報を受信することを可能とし、楽曲識別情報が更新されるとオーディオ装置に備えられたディスプレイなどの表示部に表示することを目的とする。これによって、ユーザに対してラジオ放送されている楽曲を知らせる。さらに表示された情報を押下するなどのユーザ操作が発生した際に、当該楽曲を再生中のデジタルラジオ放送にソース切替を行い、該当する楽曲の先頭から再生させることを目的とする。
【００１１】
本実施例に係るオーディオ装置は、デジタルラジオ放送を受信可能なラジオ受信部を備え、デジタルラジオ放送以外の音楽ソースを再生中でもバックグラウンドで楽曲識別情報を受信して内部メモリに保存する仕組みを持つ。このような構成によって、新たに楽曲識別情報を受信した場合は表示部に情報を表示させることでユーザにデジタルラジオにて放送中の楽曲が変化したことを知らせることができる。ここで、例えば車載のオーディオ装置のような場合、ラジオの受信状態は常に変化するため、電界強度によって表示を制御する。
【００１２】
ユーザが表示された楽曲の情報を押下するなどの操作を行った場合、オーディオ装置は、再生中の音楽ソースからデジタルラジオ放送にソースを切りかえ、メモリにバッファリングされたオーディオデータを用いて表示された楽曲を曲の先頭から再生する。これにおいても、車載のオーディオ装置のような場合、ラジオの受信状態は常に変化するため、電界強度によって再生を制御する。
【００１３】
図１は、本発明の実施例に係るオーディオ装置１の構成を示す。オーディオ装置１は、受信用アンテナＡＮＴが接続されたラジオ受信部１１ａ、復調分離部１１ｂ、リムーバブルディスクドライブ１２、外部インターフェイス１３、制御部１４、オーディオ処理部１５、スピーカ１６、表示部１７、操作部１８、及び内部メモリ１９を備える。また、内部メモリ１９は、一時記憶領域２０、及び音声データバッファ用領域２１を含む様に保存している。オーディオ装置１は、外部インターフェイス１３を介して、半導体メモリカードやＵＳＢメモリ装置などのポータブル記憶装置２や、ポータブルオーディオプレイヤ３などの外部機器を選択的に接続することができる。
【００１４】
次に、オーディオ装置１に接続されるポータブル記憶装置２及びポータブルオーディオプレイヤ３について説明する。ポータブル記憶装置２は、半導体メモリカード、またはＵＳＢ（ｕｎｉｖｅｒｓａｌ  ｓｅｒｉａｌ  ｂｕｓ）メモリ装置などで構成され、外部インターフェイス１３を介して、オーディオ装置１と接続される。ポータブル記憶装置２は、オーディオ装置１で再生可能な楽曲のオーディオファイルを記憶している。
【００１５】
ポータブルオーディオプレイヤ３は、ポータブルオーディオプレイヤ３に内蔵したＨＤＤ（ｈａｒｄ  ｄｉｓｋ  ｄｒｉｖｅ）や、ＲＡＭなどの半導体メモリに楽曲のオーディオファイルを記録し、記録したオーディオファイルの再生処理を行う携帯可能な装置である。また、ポータブルオーディオプレイヤ３は、単独使用時には、オーディオファイルの再生処理の際、当該オーディオファイルに保存されたオーディオデータが表す音声を、ポータブルオーディオプレイヤ３に備えられている音声出力端子に出力する。ポータブルオーディオプレイヤ３は、オーディオ装置１との接続時には、オーディオファイルの再生処理の際、外部インターフェイス１３を介して、当該オーディオファイルのオーディオデータをオーディオ装置１へ出力する。
【００１６】
次に、オーディオ装置１の内部構成について説明する。リムーバブルディスクドライブ１２は、ＣＤ（ｃｏｍｐａｃｔ  ｄｉｓｋ）やＤＶＤ（ｄｉｇｉｔａｌ  ｖｅｒｓａｔｉｌｅ  ｄｉｓｋ）を再生可能な装置である。リムーバブルディスクドライブ１２に例えばＣＤが挿入された場合には、制御部１４は、挿入されたＣＤに記録されたオーディオファイルのオーディオデータを読み出し、オーディオデータをオーディオ処理部１５に出力する。また、ポータブル記憶装置２あるいはポータブルオーディオプレイヤ３のオーディオデータもオーディオ処理部１５に出力される。オーディオ処理部１５は、ポータブル記憶装置２、ポータブルオーディオプレイヤ３、リムーバブルディスクドライブ１２のいずれかのオーディオデータ、つまり非ラジオ放送のオーディオデータを再生する。オーディオ処理部１５は、再生したオーディオデータをスピーカ１６から出力する。
【００１７】
ラジオ受信部１１ａは、受信用アンテナＡＮＴを介して、楽曲識別情報を含むデジタルラジオ放送を受信する。ここで、楽曲識別情報とは、デジタルラジオ放送で放送（再生）中の楽曲を特定するためのものであり、タグ情報とも言う。実施例においては、各楽曲の楽曲識別情報には、少なくとも楽曲のタイトル名（楽曲名）、アーティスト名、放送局名などを含む情報が用いられる。ラジオ受信部１１ａは、ユーザが操作部１８を介して選局（選択）した受信チャンネルのアナログラジオ放送またはデジタルラジオ放送の放送信号を受信する。この受信された放送信号は、復調分離部１１ｂに入力される。特に、ラジオ受信部１１ａは、オーディオ処理部１５が非ラジオ放送のオーディオデータを再生している間であっても、放送信号を受信する。
【００１８】
復調分離部１１ｂは、ラジオ受信部１１ａにより出力された放送信号を入力する。復調分離部１１ｂは、入力された放送信号を復調する。復調分離部１１ｂは、デジタルラジオ放送信号を受信中の場合、復調により、入力された放送信号から、楽曲のオーディオデータと楽曲識別情報とに分離する。復調分離部１１ｂは、オーディオデータ及び楽曲識別情報をそれぞれ制御部１４に出力する。ラジオ受信部１１ａにより出力された放送信号を入力する。
【００１９】
制御部１４は、オーディオ装置１に内蔵されるＣＰＵ（ｃｅｎｔｒａｌ  ｐｒｏｃｅｓｓｉｎｇ  ｕｎｉｔ）、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）などで構成され、ＲＯＭに記憶されたプログラムにしたがって、オーディオ装置１の各部の動作を制御する。例えば、制御部１４は、ユーザの操作部１８の操作によってオーディオソースとしてデジタルラジオ放送が設定されたときには、オーディオ装置１で放送（再生）可能な放送局のうち操作部１８のユーザ操作に応じて、ラジオ受信部１１ａが受信可能な受信チャンネルを設定する。また、制御部１４は、オーディオ処理部１５に、復調分離部１１ｂが出力したオーディオデータが表す音声をスピーカ１６に出力させる。
【００２０】
また、操作部１８をユーザが操作することによって外部インターフェイス１３に接続されたポータブル記憶装置２や、リムーバブルディスクドライブ１２に装着されたＣＤやＤＶＤに記録されているオーディオファイルの再生が指示されたとする。この場合、制御部１４は、再生が指示されたオーディオファイルのオーディオデータを読み出して、オーディオ処理部１５に出力すると共に、オーディオ処理部１５に、当該出力したオーディオデータが表す音声をスピーカ１６から出力させる。
【００２１】
さらに、制御部１４は、ユーザが操作部１８を操作することによって外部インターフェイス１３に接続されたポータブルオーディオプレイヤ３の再生を指示された場合、再生が指示されたオーディオファイルを、ポータブルオーディオプレイヤ３から取得する。制御部１４は、オーディオ処理部１５に、ポータブルオーディオプレイヤ３から取得したオーディオファイルに保存されたオーディオデータが表す音声をスピーカ１６に出力させる。
【００２２】
オーディオ処理部１５は、制御部１４により出力されたオーディオファイルを入力する。オーディオ処理部１５は、入力されたオーディオファイルに保存されたオーディオデータが表す音声（楽曲）のレベルを増幅してスピーカ１６に出力する処理を行う。スピーカ１６は、オーディオ処理部１５により増幅されたオーディオデータを出力する。
【００２３】
表示部１７は、例えばオーディオ装置１のＬＣＤ（ｌｉｑｕｉｄ  ｃｒｙｓｔａｌ  ｄｉｓｐｌａｙ）により構成され、制御部１４の制御の下で、デジタルラジオ放送の受信が可能な放送局、または、楽曲識別情報などを表示する。つまり、表示部１７は、ラジオ受信部１１ａにおいて受信したデジタルラジオ放送の信号に含まれた楽曲識別情報であって、かつデジタルラジオ放送の信号に含まれたオーディオデータに対応した楽曲を識別するための楽曲識別情報を表示する。
【００２４】
操作部１８は、例えばオーディオ装置１の前面に設けられ、各種のボタン、方向キー、テンキー、若しくは表示部１７の上に配置されたタッチパネル等のハードウエア、または、表示部１７に当該ボタン、方向キー、テンキー等の機能を有するソフトウエアキーボードが仮想的に表示されたソフトウエアで構成される。また、操作部１８は、オーディオ装置１とは異なるリモートコントローラ端末からの操作内容を含む操作信号を受信可能な受信部で構成されてもよい。
【００２５】
ユーザが操作部１８を使用することによって、非ラジオ放送のオーディオデータの再生から、デジタルラジオ放送のオーディオデータの再生への切替の指示を入力する。制御部１４がこの指示を受けつけた場合、オーディオ処理部１５は、表示部１７において表示した楽曲識別情報に対応したオーディオデータであって、かつラジオ受信部１１ａにおいて受信したデジタルラジオ放送の信号に含まれたオーディオデータを再生する。
【００２６】
内部メモリ１９には、図１に示す様に、一時記憶領域２０、及び音声データバッファ用領域２１が保存されている。一時記憶領域２０は、ラジオ受信部１１ａがデジタルラジオ放送を受信した際に、復調分離部１１ｂにより分離された楽曲のオーディオデータと楽曲識別情報とのうち、楽曲の楽曲識別情報を保存する。音声データバッファ用領域２１は、ラジオ受信部１１ａがデジタルラジオ放送を受信した際に、復調分離部１１ｂにより分離された楽曲のオーディオデータと楽曲識別情報とのうち、オーディオデータを保存する。
【００２７】
ここで、図２は、内部メモリ１９に保存される一時記憶領域２０のデータ構造を示す。図２に示す様に、楽曲識別情報は、詳細に示すと、アーティスト、タイトル、放送局などを含む情報である。上述した様に、一時記憶領域２０は、ラジオ受信部１１ａがデジタルラジオ放送を受信した際に、復調分離部１１ｂにより分離された楽曲のオーディオデータと楽曲識別情報とのうち、楽曲の楽曲識別情報を保存する領域である。復調分離部１１ｂが楽曲の楽曲識別情報を制御部１４に出力すると、制御部１４は、この楽曲識別情報を受け取る度に、当該楽曲識別情報を一時記憶領域２０に上書き保存する。これにより、一時記憶領域２０には常に受信した最新の楽曲識別情報が保存される。
【００２８】
図１に戻る。つまり、ラジオ受信部１１ａにおいて受信したデジタルラジオ放送の信号に新たな楽曲識別情報が含まれている場合に、オーディオ処理部１５が非ラジオ放送のオーディオデータを再生していれば、一時記憶領域２０は、新たな楽曲識別情報を記憶する。このような制御は制御部１４によってなされる。また、表示部１７は、ラジオ受信部１１ａにおいて受信したデジタルラジオ放送の信号に含まれた楽曲識別情報として、一時記憶領域２０に記憶した新たな楽曲識別情報を表示する。
【００２９】
次に、図３は、内部メモリ１９に保存される音声データバッファ用領域２１のデータ構造を示す。上述した様に、音声データバッファ用領域２１は、ラジオ受信部１１ａがデジタルラジオ放送を受信した際に、復調分離部１１ｂにより分離された楽曲のオーディオデータと楽曲識別情報とのうち、楽曲のオーディオデータを保存する領域である。復調分離部１１ｂが楽曲のオーディオデータを制御部１４に出力すると、制御部１４は、このオーディオデータを先頭から音声データバッファ用領域２１に上書き保存する。これにより、音声データバッファ用領域２１には常に受信した最新の楽曲のオーディオデータが先頭より保存される。図１に戻る。つまり、ラジオ受信部１１ａにおいて受信したデジタルラジオ放送の信号に新たな楽曲識別情報が含まれている場合に、オーディオ処理部１５が非ラジオ放送のオーディオデータを再生していれば、音声データバッファ用領域２１は、当該新たな楽曲識別情報に対応したオーディオデータを記憶する。
【００３０】
このように音声データバッファ用領域２１においてオーディオデータが記憶されることによって、制御部１４が、非ラジオ放送のオーディオデータの再生から、デジタルラジオ放送のオーディオデータの再生への切替の指示を受けつけた場合、次の処理を実行する。つまり、ラジオ受信部１１ａが受信したラジオ放送の信号の強度がしきい値より大きい場合、制御部１４、オーディオ処理部１５は、ラジオ受信部１１ａにおいて受信したデジタルラジオ放送の信号に含まれたオーディオデータの再生として、音声データバッファ用領域２１に記憶したオーディオデータを再生する。一方、信号の強度がしきい値以下である場合、制御部１４、オーディオ処理部１５は、音声データバッファ用領域２１に記憶したオーディオデータの再生を禁止する。
【００３１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３２】
以上のように構成されたオーディオ装置１について、以下にその処理動作を説明する。まず、本実施例に係るオーディオ装置１におけるデジタルラジオ放送中の新規楽曲受信時の振る舞いについて説明する。図４は、オーディオ装置１による新規楽曲を受信した場合の処理手順を示すフローチャートである。なお、オーディオ装置１は、ラジオ受信部１１ａがデジタルラジオを放送中に新規楽曲を受信する度に、図４のフローチャートの各処理を行う。
【００３３】
復調分離部１１ｂが新規の楽曲を受信した場合、図４において、制御部１４は、まず楽曲識別情報を受信したか確認を行い（ステップＳ５０１）、受信していなかった場合は（ステップＳ５０１におけるＮＯ）処理を終了する。楽曲識別情報を受信した場合（ステップＳ５０１におけるＹＥＳ）、デジタルラジオを再生中か確認する（ステップＳ５０２）。視聴中であった場合（ステップＳ５０２におけるＹＥＳ）処理を終了する。視聴中でなかった場合は（ステップＳ５０２におけるＮＯ)後に記述する一時記憶領域２０を更新し（ステップＳ５０３）、音声データバッファ用領域２１に先頭からオーディオデータを蓄積し（ステップＳ５０４）、電界強度を取得する（ステップＳ５０５)。
【００３４】
その後、取得した電界強度に対して内部に持つしきい値と比較し（ステップＳ５０６）、取得した電界強度の方が高ければ（ステップＳ５０６におけるＹＥＳ）表示部１７に一時記憶領域２０に保存した楽曲識別情報を表示し（ステップＳ５０７）処理を終了する。取得した電界強度よりもしきい値の方が高ければ（ステップＳ５０６におけるＮＯ）、ステップＳ５０７を実行せずに処理を終了する。これにより、オーディオ装置１は、図４に示す処理を終了する。
【００３５】
次に、本実施例に係るオーディオ装置１における表示された楽曲識別情報を押下するなどのユーザ操作が発生した場合の振る舞いについて説明する。図５は、オーディオ装置１による楽曲識別情報が選択された場合の処理手順を示すフローチャートである。なお、この処理は前記ステップＳ５０７にて表示された楽曲識別情報を表示部のソフトキーまたはオーディオ装置１に備えられたハードキーなどを押下することによって実行される。
【００３６】
図５において、制御部１４は、まずデジタルラジオ放送に再生ソースを切りかえ（ステップＳ６０１）、表示部１７に楽曲識別情報を表示させる（ステップＳ６０２）。次に電界強度を取得し（ステップＳ６０３)、内部に持つしきい値と比較する（ステップＳ６０４）。取得した電界強度の方が高ければ（ステップＳ６０４におけるＹＥＳ）音声データバッファ用領域２１の先頭から楽曲を再生し（ステップＳ６０５）処理を終了する。取得した電界強度よりもしきい値の方が高ければ（ステップＳ６０４におけるＮＯ）、ラジオ受信部１１ａにて受信しているオーディオデータを再生して（ステップＳ６０６）処理を終了する。これにより、オーディオ装置１は、図５に示す処理を終了する。
【００３７】
次に、本実施例に係るオーディオ装置１における一時記憶領域２０の作成処理について説明する。図６は、オーディオ装置１による一時記憶領域２０の作成手順を示すフローチャートである。図４に示した通り、本処理はデジタルラジオ放送中に新規楽曲を受信し、かつ楽曲識別情報を受信した場合にのみ実施する。
【００３８】
図６において、制御部１４は、まず一時記憶領域２０をクリアし（ステップＳ７０１）、復調分離部１１ｂにて取得した楽曲識別情報のうち、表示に必要な情報（アーティスト名、楽曲名など）を一時記憶領域２０に保存して（ステップＳ７０２）処理を終了する。これにより、オーディオ装置１は、図６に示す処理を終了する。この処理を行うことにより、一時記憶領域２０には常に受信した最新の楽曲識別情報のうち必要な情報が保存される。
【００３９】
次に、本実施例に係るオーディオ装置１における音声データバッファ用領域２１の作成処理について説明する。図７は、オーディオ装置１による音声データバッファ用領域２１の作成手順を示すフローチャートである。図４に示した通り、本処理は新規楽曲識別情報を受信し、かつデジタルラジオを視聴していない場合にのみ実施する。
【００４０】
図７において、制御部１４は、まず音声データバッファ用領域２１をクリアし（ステップＳ８０１）、表示部１７に表示された楽曲情報を押下したか確認する（ステップＳ８０２）。押下されていない場合（ステップＳ８０２におけるＮＯ）、電界強度がしきい値を超えているか確認し（ステップＳ８０３）、超えている場合は（ステップＳ８０３におけるＹＥＳ）、復調分離部１１ｂにて取得したオーディオデータを音声データバッファ用領域２１にストリーミング保存を開始する（ステップＳ８０４）。その後、ストリーミング保存していることを示すフラグを立てて（ステップＳ８０５）、楽曲を表示部１７に表示してから何秒経過したかを確認し（ステップＳ８０６）、仕様範囲以内であれば（ステップＳ８０６におけるＮＯ）ステップＳ８０２に戻る。ソフトウエアプログラムにて規定された一定期間を超えた場合は（ステップＳ８０６におけるＹＥＳ）ステップＳ８０５で立てた保存フラグを降ろして（ステップＳ８０７）処理を終了する。電界強度がしきい値を超えていない場合は（ステップＳ８０３におけるＮＯ）何も行わずに処理を終了する。
【００４１】
曲表示が押下されていた場合においては（ステップＳ８０２におけるＹＥＳ）、ストリーミング保存をしていることを示すフラグを確認し（ステップＳ８０８）、フラグが立っていれば（ステップＳ８０８におけるＹＥＳ）音声データバッファ用領域２１に保存されたオーディオデータを先頭から再生する（ステップＳ８０９）。フラグが立っていなければ（ステップＳ８０８におけるＮＯ）復調分離部１１ｂにて取得したオーディオデータをストリーミング再生して（ステップＳ８１０）、処理を終了する。
【００４２】
本発明の実施例によれば、音声データバッファ用領域２１には常に受信した最新のオーディオデータを保存できる。ユーザはデジタルラジオ放送以外の音楽ソースを視聴中において、デジタルラジオ放送にて再生中の楽曲を常に知ることができ、さらに気になった楽曲を曲の先頭から視聴することが可能となる。
【００４３】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４４】
本発明の一態様の概要は、次の通りである。本発明のある態様のオーディオ装置は、非ラジオ放送の音声信号を再生する再生部と、再生部が非ラジオ放送の音声信号を再生している間に、ラジオ放送の信号を受信するラジオ受信部と、ラジオ受信部において受信したラジオ放送の信号に含まれた楽曲識別情報であって、かつラジオ放送の信号に含まれた音声信号に対応した楽曲を識別するための楽曲識別情報を表示する表示部とを備える。再生部は、非ラジオ放送の音声信号の再生から、ラジオ放送の音声信号の再生への切替の指示を受けつけた場合に、表示部において表示した楽曲識別情報に対応した音声信号であって、かつラジオ受信部において受信したラジオ放送の信号に含まれた音声信号を再生する。
【００４５】
この態様によると、デジタルラジオを視聴していない状態において、裏で受信機が受信した楽曲識別情報を一時的に内部メモリに保存して表示部に表示させることで、ユーザはデジタルラジオ放送にてどのような楽曲が放送されているのかを常に把握することができ、さらにユーザが表示された楽曲識別情報を押下するなどの操作を行った場合に、再生中の音楽ソースを該当する楽曲を放送中のデジタルラジオ放送に切り替えることで、ユーザは好みの楽曲を聞き逃すことなく視聴することが可能となる。
【００４６】
ラジオ受信部において受信したラジオ放送の信号に新たな楽曲識別情報が含まれている場合に、再生部が非ラジオ放送の音声信号を再生していれば、新たな楽曲識別情報と、当該新たな楽曲識別情報に対応した音声信号を記憶するメモリをさらに備えてもよい。この場合、ユーザが表示された楽曲識別情報を押下するなどの操作を行った場合に、制御部は内部メモリに保存された音声データから音声を再生することができる。
【００４７】
再生部は、ラジオ受信部が受信したラジオ放送の信号の強度がしきい値より大きい場合、ラジオ受信部において受信したラジオ放送の信号に含まれた音声信号の再生として、メモリに記憶した音声信号を再生し、信号の強度がしきい値以下である場合、メモリに記憶した音声信号の再生を禁止してもよい。この場合、オーディオ装置は、受信部が新規楽曲の音声データを受信し始めてから、ユーザが表示された楽曲識別情報を押下するなどの操作を行うまでの間に時間差があった場合においても、再生中の音楽ソースを該当する楽曲を放送中のデジタルラジオ放送に切り替える際に、音声データを保存した内部メモリから再生することで、ユーザは楽曲の途中からではなく常に先頭から視聴することが可能となる。また、オーディオ装置は、受信した音声データを内部メモリに保存する際に、電界強度が一定値以下であった場合には内部メモリに保存することを回避することによって、弱電界による音切れやノイズなどの音声データは内部メモリに保存せず受信した音声データをそのまま再生することができる。
【００４８】
表示部は、ラジオ受信部において受信したラジオ放送の信号に含まれた楽曲識別情報として、メモリに記憶した新たな楽曲識別情報を表示してもよい。
【符号の説明】
【００４９】
１  オーディオ装置、  ２  ポータブル記憶装置、  ３  ポータブルオーディオプレイヤ、  １１ａ  ラジオ受信部、  １１ｂ  復調分離部、  １２  リムーバブルディスクドライブ、  １３  外部インターフェイス、  １４  制御部、  １５  オーディオ処理部、  １６  スピーカ、  １７  表示部、  １８  操作部、  １９  内部メモリ、  ２０  一時記憶領域、  ２１  音声データバッファ用領域。
【図１】
2014175831.tif 000003
【図２】
2014175831.tif 000004
【図３】
2014175831.tif 000005
【図４】
2014175831.tif 000006
【図５】
2014175831.tif 000007
【図６】
2014175831.tif 000008
【図７】
2014175831.tif 000009